【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
主電源から電源供給され動作する撮像装置において、
被写界を撮像し画像データを出力する撮像素子を有する撮像部と、
上記主電源から電源供給され、制御信号に基づいて指示された電圧に変換して出力する可変電圧変換部と、
上記可変電圧変換部の出力を受けて定電圧信号を上記撮像素子に供給する定電圧部と、
上記撮像素子の画像データのノイズレベルを予測し出力するノイズレベル予測部と、
上記撮像装置の背面に設けられた第１の表示部と、接眼部を有し電子ビュー表示する第２の表示部の少なくとも２種類の表示部を切り替えて表示を行い表示切替部と、
上記表示切替部により切り替えられた表示部と、上記ノイズレベル予測部からの出力に応じて上記定電圧部に入力する電圧値を演算し、上記可変電圧変換部に出力電圧を指示する制御部と、
を具備することを特徴とする撮像装置。
【請求項２】
上記制御部は、上記撮像部による撮像時には上記ノイズレベル予測部からの出力に応じて上記定電圧部に入力する電圧値を演算して指示し、一方撮像時以外では、予め決められた所定の電圧値を指示することを特徴とする請求項１に記載の撮像装置。
【請求項３】
上記制御部は、上記撮像部による撮像時において、ライブビュー表示時と上記画像データの記録時で上記定電圧部に入力する電圧値を異ならせることを特徴とする請求項１もしくは２に記載の撮像装置。
【請求項４】
さらに、上記撮像素子の近傍に設けられ上記撮像素子の温度を検出して温度データを出力する測温部を備え、
上記ノイズレベル予測部は、上記測温部からの上記温度データに基づいて上記撮像素子のノイズレベルを予測し、予測ノイズレベルを出力することを特徴とする請求項１もしくは２に記載の撮像装置。
【請求項５】
さらに、上記撮像素子の光学的暗部に設けられた撮像面の画素信号を検出する光学的暗部データを出力するＯＢ検出部を備え、
上記ノイズレベル予測部は、上記ＯＢ検出部の出力に基づいて上記撮像素子のノイズレベルを予測し、予測ノイズレベルを出力することを特徴とする請求項１もしくは２に記載の撮像装置。
【請求項６】
上記第１の表示部および上記第２の表示部は、上記画像データに基づいて、被写体像を表示することを特徴とする請求項１ないし５のいずれか１項に記載の撮像装置。
【請求項７】
主電源から電源供給され動作し、被写界を撮像し画像データを出力する撮像素子を含む撮像部と、背面に設けられた第１の表示部と接眼部を有し電子ビュー表示する第２の表示部の少なくとも２種類の表示部を有する撮像装置の撮像方法において、
可変電圧変換部は、上記主電源から電源供給され、制御信号に基づいて指示された電圧に変換して出力し、
上記可変電圧変換部の出力を受けて、定電圧部は定電圧信号を上記撮像素子に供給し、
上記撮像素子の画像データのノイズレベルを予測し、
上記第１の表示部と上記第２の表示部を切り替えて表示を行い、
上記第１の表示部と上記第２の表示部の切り替えと、上記ノイズレベルの予測に応じて上記定電圧部に入力する電圧値を演算し、上記可変電圧変換部に出力電圧を指示する、
ことを特徴とする撮像方法。
【請求項８】
主電源から電源供給され動作する被写界を撮像し画像データを出力する撮像素子を含む撮像部と、背面に設けられた第１の表示部と接眼部を有し電子ビュー表示する第２の表示部の少なくとも２種類の表示部を有する撮像装置のコンピュータを実行するプログラムにおいて、
可変電圧変換部は、上記主電源から電源供給され、制御信号に基づいて指示された電圧に変換して出力し、
上記可変電圧変換部の出力を受けて、定電圧部は定電圧信号を上記撮像素子に供給し、
上記撮像素子の画像データのノイズレベルを予測し、
上記第１の表示部と上記第２の表示部を切り替えて表示を行い、
上記第１の表示部と上記第２の表示部の切り替えと、上記ノイズレベルの予測に応じて上記定電圧部に入力する電圧値を演算し、上記可変電圧変換部に出力電圧を指示する、
ことをコンピュータに実行させるプログラム。
【手続補正２】
【補正対象書類名】明細書
【補正対象項目名】０００６
【補正方法】変更
【補正の内容】
【０００６】
上記目的を達成するため第１の発明に係る撮像装置は、主電源から電源供給され動作する撮像装置において、被写界を撮像し画像データを出力する撮像素子を有する撮像部と、上記主電源から電源供給され、制御信号に基づいて指示された電圧に変換して出力する可変電圧変換部と、上記可変電圧変換部の出力を受けて定電圧信号を上記撮像素子に供給する定電圧部と、上記撮像素子の画像データのノイズレベルを予測し出力するノイズレベル予測部と、上記撮像装置の背面に設けられた第１の表示部と、接眼部を有し電子ビュー表示する第２の表示部の少なくとも２種類の表示部を切り替えて表示を行い表示切替部と、上記表示切替部により切り替えられた表示部と、上記ノイズレベル予測部からの出力に応じて上記定電圧部に入力する電圧値を演算し、上記可変電圧変換部に出力電圧を指示する制御部と、を具備する。
【手続補正３】
【補正対象書類名】明細書
【補正対象項目名】００１０
【補正方法】変更
【補正の内容】
【００１０】
第５の発明に係る撮像装置は、上記第１もしくは第２の発明において、さらに、上記撮像素子の光学的暗部に設けられた撮像面の画素信号を検出する光学的暗部データを出力するＯＢ検出部を備え、上記ノイズレベル予測部は、上記ＯＢ検出部の出力に基づいて上記撮像素子のノイズレベルを予測し、予測ノイズレベルを出力する。
第６の発明に係る撮像装置は、上記第１ないし第５の発明のいずれかに応じて、上記第１の表示部および上記第２の表示部は、上記画像データに基づいて、被写体像を表示する。
【手続補正４】
【補正対象書類名】明細書
【補正対象項目名】００１１
【補正方法】変更
【補正の内容】
【００１１】
第７の発明に係る撮像方法は、主電源から電源供給され動作し、被写界を撮像し画像データを出力する撮像素子を含む撮像部と、背面に設けられた第１の表示部と接眼部を有し電子ビュー表示する第２の表示部の少なくとも２種類の表示部を有する撮像装置の撮像方法において、可変電圧変換部は、上記主電源から電源供給され、制御信号に基づいて指示された電圧に変換して出力し、上記可変電圧変換部の出力を受けて、定電圧部は定電圧信号を上記撮像素子に供給し、上記撮像素子の画像データのノイズレベルを予測し、上記第１の表示部と上記第２の表示部を切り替えて表示を行い、上記第１の表示部と上記第２の表示部の切り替えと、上記ノイズレベルの予測に応じて上記定電圧部に入力する電圧値を演算し、上記可変電圧変換部に出力電圧を指示する。
【手続補正５】
【補正対象書類名】明細書
【補正対象項目名】００１２
【補正方法】変更
【補正の内容】
【００１２】
第８の発明に係るプログラムは、主電源から電源供給され動作する被写界を撮像し画像データを出力する撮像素子を含む撮像部と、背面に設けられた第１の表示部と接眼部を有し電子ビュー表示する第２の表示部の少なくとも２種類の表示部を有する撮像装置のコンピュータを実行するプログラムにおいて、可変電圧変換部は、上記主電源から電源供給され、制御信号に基づいて指示された電圧に変換して出力し、上記可変電圧変換部の出力を受けて、定電圧部は定電圧信号を上記撮像素子に供給し、上記撮像素子の画像データのノイズレベルを予測し、上記第１の表示部と上記第２の表示部を切り替えて表示を行い、上記第１の表示部と上記第２の表示部の切り替えと、上記ノイズレベルの予測に応じて上記定電圧部に入力する電圧値を演算し、上記可変電圧変換部に出力電圧を指示する、ことをコンピュータに実行させる。